(57)【要約】【課題】空気調和機等の遠隔制御装置を、視力が低い人でも容易にリモコンで操作ができるようにすること。【解決手段】リモコンからの指示により目標運転状態が基点に変化した場合に、機器本体側ブザー４が発音し、さらに機器本体側送信部３からリモコン側受信部６に信号を送りリモコン側ブザーを発音することにより、音情報によって操作者に現在の運転指示状態を認識させ、あと何回ボタンを押せば目的の運転状態にできるのかを判断することが可能となる。【選択図】図１
2010236754.tif 000002
【特許請求の範囲】
【請求項１】
機器本体と、この機器本体に運転の開始、停止等の指示を与えるべく動作指示信号を送信するリモコンとを備えてなる機器において、上記機器にはリモコンから機器本体へ送られてきた動作指示信号が所定の指示信号（以下、基点信号）だった場合に利用者に知らせる機能を設けていることを特徴とする遠隔制御装置。
【請求項２】
前項記載のリモコンは、機器本体に動作指示信号を送信する際に、利用者がリモコンのどのボタンを押したのかという情報も同時に送信することを特徴とした請求項１記載の遠隔制御装置。
【請求項３】
前項記載の機器本体は、リモコンから受信した動作指示信号が所定の基点信号であった際に音で利用者に知らせることを特徴とした請求項１または２記載の遠隔制御装置。
【請求項４】
前項記載の機器本体は、リモコンから受信した動作指示信号が所定の基点信号であった際に自動でリモコンに基点信号受信確認信号を送信することを特徴とした請求項１から３のいずれかに記載の遠隔制御装置。
【請求項５】
前項記載のリモコンは、機器本体からの所定の基点信号受信確認信号を受信した際に、音で使用者に知らせることを特徴とした請求項１から４のいずれかに記載の遠隔制御装置。
【請求項６】
請求項１から５のいずれか１項に記載の遠隔制御装置を用いた空気調和機。
【発明の詳細な説明】
【技術分野】
【０００１】
本発明は空気調和機等の遠隔制御装置のユーザインターフェースに関するものである。
【背景技術】
【０００２】
従来、空気調和機においては室内機に運転、停止、設定温度などの指示を与えるべく動作指示信号を送信するリモコンを備え、リモコンには現在の動作指示状態を表示する表示部が設けられている。利用者は表示部に表示された情報から現在の運転状態を確認することができる。
【特許文献１】特開２００１−９１０３３号公報
【発明の開示】
【発明が解決しようとする課題】
【０００３】
しかしながら、前記従来の構成では、視覚の不自由な人は表示部の情報を読み取ることが難しく、リモコン操作時に利用者が求める動作状態まであと何回ボタンを押せばよいのか判断することが難しいという課題を有していた。
【０００４】
本発明は、前記従来の課題を解決するもので、視覚の不自由な人でも音情報により、あと何回ボタンを押せば目的の運転状態にできるのかを判断することができる遠隔制御装置を提供することを目的とする。
【課題を解決するための手段】
【０００５】
前記従来の課題を解決するために、本発明の遠隔制御装置は動作指示信号が基点信号だった場合に、音を発して利用者に現在の運転状態を知らせる機能を備えている。
【０００６】
これによって、視覚の不自由な人でも、現在の目標運転状態を判断しあと何回ボタンを押せば自分が求める目標運転状態に変更できるか認識することができる。
【発明の効果】
【０００７】
本発明の機器は、リモコンで機器本体に送信する動作指示信号が、所定の動作指示信号（基点信号：例えば、空気調和機における風量の自動モードや設定可能室温の最大値など、機器メーカーが設定した動作の基準点の信号。機器メーカーが設定するため基点は機器によって単一であったり、複数個であったりする場合がある。）である場合、機器本体が音を発することによって、現在どのような運転指示を送っているか視覚の不自由な人でも判断することができる。また基点信号を機器本体が受信した場合にリモコンへ基点信号受信確認信号を送信し、リモコンはその基点信号受信確認信号を受信した時点で音を発することにより、高齢者など聴力の弱い方が機器本体で音がなっているのを認識できないことを防ぐ。また基点信号の情報のみを利用者に伝えることにより、運転状態の情報全てを音声で利用者に伝えた場合の情報過多のわずらわしさを軽減することが可能となる。
【発明を実施するための最良の形態】
【０００８】
第１の発明は、機器本体に運転の開始、停止等の動作指示信号を送信するリモコンから機器本体へ送信した動作指示信号が基点信号だった場合に利用者に知らせる機能を設けることにより、機器利用者が機器の動作設定を容易にすることが可能となる。
【０００９】
第２の発明は、機器に備えられたリモコンが、機器本体に動作指示信号を送信する際に、利用者がリモコンのどのボタンを押したのかという情報も同時に送信することを特徴とする。
【００１０】
第３の発明は、機器本体がリモコンから基点信号を受信した場合に、機器本体が音で利用者に基点信号を受信したことを知らせることを特徴とする。
【００１１】
第４の発明は、機器本体がリモコンから基点信号を受信した場合に、機器本体が自動でリモコンに基点信号受信確認信号を送信することを特徴とする。
【００１２】
第５の発明は、リモコンが機器本体から基点信号受信確認信号を受信した場合に、リモコンが音で利用者に基点信号を受信したことを知らせることを特徴とする。
【００１３】
第６の発明は、第１から５の発明の機器を空気調和機に使用したものであり、各々の効果を発揮することができる。
【００１４】
以下、本発明の実施の形態について、図面を参照しながら説明する。なお、この実施の形態によって本発明が限定されるものではない。
【００１５】
（実施の形態１）
図１は本発明の実施形態における説明図を示すものである。
【００１６】
図１においてリモコン５に備えられた各種動作指示ボタン９を利用者が押下した場合、リコモン側送信部６から機器本体１に備えられた機器本体側受信部２へ運転指示信号が送信される。この際に各種動作指示ボタン９のどのボタンを押したのかという情報も動作指示信号と一緒にリモコン側送信部６から機器本体側受信部２へ送信する。
【００１７】
機器本体１がリモコン５から運転指示信号を受信した場合、機器本体１は基点信号かどうかの判断を行う。次に、基点信号だった場合にはどのボタンを押したのかという情報からボタンを押したことにより、基点に変化したのかどうかの判断を行う。ボタンを押したことにより基点に変化した場合には、機器本体側ブザー４で発音する。
【００１８】
さらに機器本体側ブザー４を発音した場合は、機器本体側送信部３からリモコン側受信部６へ基点信号受信確認信号を送信する。リモコン５は基点信号受信確認信号を受信した場合、リモコン側ブザー８で発音する。
【産業上の利用可能性】
【００１９】
以上のように、本発明にかかる遠隔制御装置は視覚が不自由な人でも機器の操作を確実かつ容易に行うことができるので、リモコンおよび製品本体を有する電気装置全般に広く適用できる。
【図面の簡単な説明】
【００２０】
【図１】本発明の実施形態の説明図
【符号の説明】
【００２１】
１  機器本体
２  機器本体側受信部
３  機器本体側送信部
４  機器本体側ブザー
５  リモコン
６  リモコン側受信部
７  リモコン側送信部
８  リモコン側ブザー
【図１】
2010236754.tif 000003